(57)【要約】  【課題】      本発明は、劇場やコンサートホールなどの施設の窓口で、非接触カードのＩＣチップに記憶されたチケット情報によりチケットを発行する処理を一体構造でできるカード処理装置およびその処理方法を提供することを目的とする。  【解決手段】  非接触カードのＩＣチップのデータを読取りまたは書込む通信手段を有したカード処理装置において、読取った前記ＩＣチップのデータを記憶する記憶手段と、この記憶されたデータに基づいてチケット情報を読み出す読出手段と、読み出されたチケット情報を表示する表示手段と、この表示手段に表示されたチケット情報のうち一つを選択する選択手段と、備え、前記選択手段により選択されたチケット情報に基づいてチケットを印字発行するチケット印字発行手段と、を設けたことを特徴とする。  【選択図】    図１            
2005078361.tif 000002
【特許請求の範囲】
【請求項１】
ＩＣチップを有する非接触カードの前記ＩＣチップに記憶されたデータを読取りまたは書き換える通信手段を有したカード処理装置において、
読取った前記ＩＣチップのデータを記憶する記憶手段と、この記憶されたデータに基づいて所定のファイルからチケット情報を読み出す読出手段と、読み出された一つまたは複数のチケット情報を表示する表示手段と、この表示手段に表示された一つまたは複数のチケット情報のうち一つを選択する選択手段と、を備え、
前記選択手段により選択されたチケット情報に基づいてチケットを印字発行するチケット印字発行手段と、を設けたことを特徴とするカード処理装置。  
【請求項２】
前記選択手段により選択されたチケット情報に関するデータを前記記憶手段から消去する消去手段と、消去後に記憶された記憶手段のチケット情報を前記ＩＣチップに書き換える書換手段を設けた請求項１記載のカード処理装置。
【請求項３】
前記非接触カードの表面に書き換え可能なリライト面を有し、このリライト面に消去または印字するリライト印字手段と、を設けたことを特徴とする請求項１記載のカード処理装置。
【請求項４】
ＩＣチップを有する非接触カードの前記ＩＣチップに記憶されたデータを読取りまたは書き換える通信ステップを有したカード処理方法において、
前記ＩＣチップのデータを読取り記憶する記憶ステップと、この記憶されたデータに基づいて所定のファイルからチケット情報を読み出す読出ステップと、読み出された一つまたは複数のチケット情報を表示する表示ステップと、この表示ステップにより表示された一つまたは複数のチケット情報のうち一つを選択する選択ステップと、備え、
この選択ステップにより選択されたチケット情報に基づいてチケットを印字発行する印字発行ステップと、を設けたことを特徴とするカード処理方法。
【発明の詳細な説明】
【技術分野】
【０００１】
本発明は、ＩＣチップを有する非接触カードの読取りまたは書込みをするカード処理装置およびその処理方法に関し、特に劇場、レジャー施設等で使用する非接触カードを利用してチケット発行するためのカード処理装置およびその処理方法に関する。
【背景技術】
【０００２】
近年、劇場、レジャー施設等では非接触カードが実用期に入りつつある。この非接触カードは、ＩＣチップに記憶された情報を読み取り機にかざすだけで通過、あるいは精算できるので、ユーザにとっては便利である。
一方、単なる非接触カードでは、カードに電子情報として記録されている情報が目視できない。そこで、特開平１１−２２７３６９号公報に示すように、メディア表面に書き換え可能な印字層（以下、リライト印字面と称する）を設けて、カードの発行情報をリライト印字面に印字することができる非接触カードも提案されている。
このような状況のなかで、リライト印字面を有する非接触カードでは、ＩＣチップに情報を書込む作業と、リライト面に文字情報を書込む作業とが必要である。
【０００３】
例えば、特許文献１には、非接触ＩＣカードのＩＣチップに書込みとリライト面への印字を同時に行うことができる非接触メデイア発行装置が開示されている。
【特許文献１】特開２００３−５０９７８号公報
【発明の開示】
【発明が解決しようとする課題】
【０００４】
しかしながら、非接触カードをかざすだけでゲートを通過することができるレジャー施設などではよいが、劇場やコンサートホールあるいは野球場などのレジャー施設では、予め指定席として席の位置を決めている場合が多く、このような劇場やコンサートホールなどの施設ではゲートを通過するだけでは、指定席の席番号を決めることができないという問題がある。
また、予め指定席を印字したチケットを発行することが考えられるが、非接触カードとチケットの両方を管理することが煩わしいという問題がある。
【０００５】
そこで、予め指定席を購入したときに非接触カードのリライト面に指定席の席番号などを印字することが考えられるが、非接触カードでゲートを通過するだけでは印字された席番号が消去されないという問題がある。
【０００６】
本発明は、上記問題にかんがみなされたもので、劇場やコンサートホールなどのレジャー施設の窓口で、非接触カードのＩＣチップに記憶されたチケット情報によりチケットを発行するようにして、一体構造でできるカード処理装置およびその処理方法を提供することを目的とする。
【０００７】
また、本発明は劇場やコンサートホールなどのレジャー施設の窓口で非接触カードのリライト表示部に印字されたチケット情報と、ＩＣチップとの情報を書き換え（更新）するとともに、チケットを発行することができるカード処理装置およびその処理方法を提供することを目的とする。
【課題を解決するための手段】
【０００８】
本発明は、劇場やコンサートホールなどの施設の窓口でチケットを発行することに着目したので、請求項１記載の発明の要旨は、ＩＣチップを有する非接触カードの前記ＩＣチップに記憶されたデータを読取りまたは書き換える通信手段を有したカード処理装置において、読取った前記ＩＣチップのデータを記憶する記憶手段と、この記憶されたデータに基づいて所定のファイルからチケット情報を読み出す読出手段と、読み出された一つまたは複数のチケット情報を表示する表示手段と、この表示手段に表示された一つまたは複数のチケット情報のうち一つを選択する選択手段と、を備え、前記選択手段により選択されたチケット情報に基づいてチケットを印字発行するチケット印字発行手段と、を設けたことを特徴とするカード処理装置にある。  
また、請求項２記載の発明の要旨は、前記選択手段により選択されたチケット情報に関するデータを前記記憶手段から消去する消去手段と、消去後に記憶された記憶手段のチケット情報を前記ＩＣチップに書き換える書換手段を設けた請求項１記載のカード処理装置にある。
また、請求項３記載の発明の要旨は、前記非接触カードの表面に書き換え可能なリライト面を有し、このリライト面に消去または印字するリライト印字手段と、を設けたことを特徴とする請求項１記載のカード処理装置にある。
また、請求項４記載の発明の要旨は、ＩＣチップを有する非接触カードの前記ＩＣチップに記憶されたデータを読取りまたは書き換える通信ステップを有したカード処理方法において、前記ＩＣチップのデータを読取り記憶する記憶ステップと、この記憶されたデータに基づいて所定のファイルからチケット情報を読み出す読出ステップと、読み出された一つまたは複数のチケット情報を表示する表示ステップと、この表示ステップにより表示された一つまたは複数のチケット情報のうち一つを選択する選択ステップと、備え、
この選択ステップにより選択されたチケット情報に基づいてチケットを印字発行する印字発行ステップと、を設けたことを特徴とするカード処理方法にある。
【発明の効果】
【０００９】
本発明のカード処理装置およびその処理方法は、非接触カードのＩＣチップに記憶され
たデータを読出しまたは書き換え(更新)するとともに、リライト面の消去および印字、さらにはチケットの印字発行を一体構成としたので、窓口での設置場所を省スペースで設置できる。
また、チケット購入者は、１枚のカードにより購入した複数のチケット情報に基づいて、劇場などの窓口で必要なチケットを発券するので、予め複数のチケットを管理することがなく、管理を煩雑にすることがない。
【発明を実施するための最良の形態】
【００１０】
本発明の実施の形態を図１乃至図５に基づいて説明する。
図１はカード処理装置の概略の構成を示した説明図であり、図２はカード処理装置の制御ブロック図であり、図３は表示画面の一例を示した説明図であり、図４はカード処理装置の動作フローチャート図であり、図５は非接触カードの一部切り欠いた平面図である。
【００１１】
カード処理装置１は、カード処理部２と、チケット印字発行部３（チケット印字発行手段）と、制御部４と、から構成されている。
カード処理部２は、主に非接触カード５０（以下適宜、「カード」と称す。）を搬送する搬送部５と、通信部６(通信手段)と、非接触カード５０のリライト表示面に印字するリライト印字部７（リライト印字手段）と、表示部８（表示手段）と、操作部９（選択手段）と、を備えている。
また、チケット印字発行部３は、用紙供給部２１と、ピッチセンサ２２と、チケット印字部２３と、を備えている。
制御部４は、上記カード処理部２とチケット印字発行部３とを含むカード処理装置１の制御をするように設けられている。
【００１２】
一方、非接触カード５０は、ＩＣチップ５１を内蔵している本体を、ＰＥＴ樹脂素材のフィルムなどで覆った構成とされている。
ＩＣチップ５１は、図示しないが電導レギュレータ、クロック再生回路（ロジック生成）、通信ロジック及び不揮発性メモリなどを備えている。なお、ＩＣチップ５１には、アンテナ５２を接続されている。
不揮発性メモリとしては、たとえばＥＥＲＯＭが用いられている。このＥＥＲＯＭは電気的に書き換え可能なＲＯＭである。
このような構成において、通信部６側からの微弱な電波で呼び出しが行われ、この呼び出しは、たとえば数十ＭＨｚの周波数を信号情報によって、オン／オフするＡＳＫ変調方式が用いられる。  
こうして発生した誘導磁界にＩＣチップ５１がかざされると、アンテナ５２に起電力が発生する。アンテナ５２に発生した起電力は、内部電源とされ、アンテナ５２を介して取込まれた信号は、クロック再生回路によって再生された後、不揮発性メモリの情報が読みとられる。読みとられた情報は、アンテナ５２から出力され、出力された情報は通信部６によって読み取られる。また、ＩＣチップ５１に書き換える場合にもアンテナ５２に起電力を発生させて、不揮発性メモリに情報を書き換えるようにすることができる。
尚、非接触カード５０の表面には印字された文字等を消去または印字できるようにリライト面５３が設けられている。
また、本実施の形態の非接触カード５０は、ＩＣチップ５１にチケットを購入することができる購入金額が記憶されており、所定の店舗などに備え付けられたチケット購入機器でチケットを購入し、チケットを購入する都度、購入金額が減額するとともに、リライト面５３に所定のチケット情報が印字されるようにしてある。
【００１３】
カード処理装置１の筐体には、カードを挿入可能にカード挿入部１０が形成され、カード挿入部１０から挿入されたカード５０は、搬送部５に搬送されようにしてある。
搬送部５は、複数の駆動ローラ１１、１２，１３と、プラテンローラ１７と、が設けられ、各駆動ローラに１１，１２，１３に従動ローラ１４，１５，１６が設けられている。
各駆動ローラ１１，１２，１３とプラテンローラ１７との間には、タイミングベルト(図示せず)が張架され、また、駆動ローラ１３にタイミングベルト(図示せず)を介してステッピングモータ３４が設けられている。ステッピングモータ３４の駆動により、各駆動ローラ１１，１２，１３およびプラテンローラ１７が同期して順方向または逆方向に回転可能に設けられている。
各駆動ローラ１１，１２，１３およびプラテンローラ１７の回転によりカード５０を搬送可能にしてある。
【００１４】
カード処理部２の搬送部５に沿って設けられた通信部６と、リライト印字部７とが設けられ、通信部６はカード５０のＩＣチップ５１とが交信を可能に配置され、ＩＣチップ５１に記憶されたチケット情報を読取り(読取手段)、または書き換え(書換手段)可能にしてある(通信ステップ)。
リライト印字部７は  前述したプラテンローラ１７と、サーマルヘッド１８が配置され、カード５０の表面に形成されたリライト面５３に消去または印字することができるように、サーマルヘッド１８の選択的に発熱するようにしてある。また、サーマルヘッド１８は、プラテンローラ１７に対し接離自在に設けてある。
尚、リライト面５３は、主にロイコ顔料を形成したロイコ式または白濁式等を採用することができる。
【００１５】
カード処理部２の下方には、チケット印字発行部３が設けられている。
チケット印字発行部３は、連続的に形成したチケット連続用紙Ｐをロール状にしたロール状のチケット連続用紙Ｐを回転可能に保持する用紙供給軸２４が用紙供給部２１に設けられ、後述するチケット印字部２３に向けて搬送路に繰り出し可能にしてある。
また、チケット連続用紙Ｐの印字面とは反対の面に形成した黒色の矩形状マーク(図示せず)を読取るピッチセンサ２２をチケット連続用紙Ｐの搬送路に配置し、ピッチセンサ２２からの信号に基づいて印字開始位置や所定の停止位置に停止するよう制御するようにしてある。
【００１６】
チケット印字部２３には、プラテンローラ２５とサーマルヘッド２６とを配置し、サーマルヘッド２６はプラテンローラ１５に対し接離自在に設けられている。また、プラテンローラ２５とサーマルヘッド２６との間にチケット連続用紙Ｐを挟持させて、サーマルヘッド２６の選択的な発熱により、チケット連続用紙Ｐの印字面に形成した感熱発色層を発色させて、文字・記号などを印字可能にしている。
プラテンローラ２５には、タイミングベルト(図示せず)を介してステッピングモータ３６が設けられている。
ステッピングモータ３６の駆動により、プラテンローラ２５が駆動して、チケット連続用紙Ｐを搬送しチケット連続用紙Ｐの印字面に印字するようにしてある。
なお、チケット連続用紙Ｐは感熱発色層を形成した例で説明するが、チケット連続用紙Ｐは普通紙でもよく、この場合にはインクリボンを設けてチケット連続用紙にインクを転写するようにしてもよい。
【００１７】
チケット印字発行部３の下方には制御部４が配置され、また、カード処理部２の上方に、表示部８と操作部９とが設けられている。
表示部８は、チケット情報を表示可能な液晶画面を配置して、チケット情報を複数行表
示可能にしてある。
また、操作部９には、所定の数字が入力が可能なテンキー(図示せず)、並びに表示部８に表示されたチケット情報を選択する選択キー１９、決定キー２０などが設けられている。
【００１８】
図２は、図１の制御部の構成例を示すブロック図である。同図に示すように、制御部４は、プリンタ制御プログラム、各種固定データ、制御テーブルデータ、ＩＯ定数、モータ制御プログラム、通信制御プログラム等を記憶するＲＯＭ（ｒｅａｄ  ｏｎｌｙ  ｍｅｍｏｒｙ）３１と、ＲＯＭ３１に記憶されている各種制御プログラムに従って動作し、各部を制御するＣＰＵ（ｃｅｎｔｒａｌ  ｐｒｏｃｅｓｓｉｎｇ  ｕｎｉｔ）３０と、ＣＰＵ３０が動作する上で必要となる各種データを記憶するワークエリア、チケットデータファイル、および印刷データが展開される印刷展開エリアを有するＲＡＭ（ｒａｎｄｏｍ  ａｃｃｅｓｓ  ｍｅｍｏｒｙ）３２(記憶手段)と、駆動ローラ１３を回転させることにより、非接触カード５０をカード挿入口１０からリライト印字面７に向けて搬送し（順方向）、または搬送方向とは逆方向に搬送駆動するステッピングモータ３４と、ステッピングモータ３４を制御する第一のモータ制御回路３３と、プラテンローラ２５を回転させることにより、チケット連続用紙Ｐを搬送方向に搬送し、または搬送方向とは逆方向に搬送駆動するステッピングモータ３６と、ステッピングモータ３６を制御する第二のモータ制御回路３５と、ＣＰＵ２１の制御下、ＩＣチップと交信するアンテナを有する通信部６と、この通信部６を制御してＩＣチップ５１のデータを読書きするよう制御する通信制御回路３７と、ＣＰＵ２１の制御下、ＲＡＭ３２の印刷展開エリアに展開された印刷すべき文字、図形などの印字データに対応する制御信号を生成し、生成した制御信号をサーマルヘッド１８に供給して印字動作を行わせる第一の印字制御回路３８と、ＣＰＵ２１の制御下、ＲＡＭ３２の印字展開エリアに展開された印字すべき文字、図形、およびバーコードなどの印字データに対応する制御信号を生成し、生成した制御信号をサーマルヘッド２６に供給して印字動作を行わせる第二の印字制御回路３９と、ＣＰＵ２１の制御下、ピッチセンサ２２の図示せぬ発光部を制御し、光を出射させるとともに、図示せぬ受光部から出力される電気信号を受け取り、ディジタルのデータに変換して印字開始位置データとしてＣＰＵ２１に供給するセンサ検出回路４０と、各種データやコマンドを入力するための操作部９と、操作部９から入力されたデータやコマンドをＣＰＵ２１に供給し、各種情報を表示する表示部８と、ホストコンピュータ（図示せず）等の外部機器と接続する外部インターフェース４１と、操作部９と表示部８とをＣＰＵ２１に接続するインターフェース４３と、から構成されている。
【００１９】
次に、図４のフローチャートに基づいて説明する。
非接触カード５０をカード処理装置１のカード挿入口１０に差し入れると、図示しないカード検出センサによりカード５０が挿入されたことを検出し搬送部５が動作してカード５０を搬送する。カード５０は、通信部６を配置した下方に移送されると搬送が一時停止する。（ステップＳ１）
【００２０】
通信部６の下方に移送されたカード５０は、通信部６からの無線により、カード５０に設けられたＩＣチップ５１に記憶された記憶情報から予約番号を少なくとも含むチケット情報を読み取る（読取ステップ）ようにしてあり（ステップＳ２）、通信部６は、読取ったＩＣチップ５１の情報を制御部４のＲＡＭ３２に記憶するようにしてあり（記憶ステップ）、記憶された予約番号などに基づいてチケットデータファイルを検索し、当該予約番号に対応するチケットデータ（チケット情報）を読み出し表示部８（表示ステップ）に表示させる。（ステップＳ３）
【００２１】
尚、ＩＣチップ５１に記憶された一つまたは複数の予約番号をＩＣチップ５１から読み取ることが可能であり、読み取られた一つまたは複数の予約番号に対するチケット情報をチケットデータファイルから検索して、表示部６に予約番号順に表示するようにしてある。
本実施の形態では、３種類のチケット情報を予約してあり、チケット情報の予約番号順に３種類の予約内容が表示されている。（図３参照）
【００２２】
表示部８には、チケット情報として、「予約番号」欄、映画やコンサートなどの「タイトル」欄、映画館名やコンサート会場などの「場所」欄、開催される「月日」欄、指定席の「席番号」欄、チケットを発券することができる「チケット」欄が少なくとも表示されている。
図３において、「予約番号」の「００１１」の「チケット」欄の「発券」の表示されたカーソル４４が点滅しており、操作部９の決定キー２０を押すことにより、「タイトル」「ＡＢＣＤ」のチケットが発券できるようにしてある。
また、操作部９の選択キー１９を押す毎に、カーソル４４は下の行の「発券」に移行しカーソル４４が点滅するように設定してある。最下行に移行したカーソル４４は、選択キー１９を押すと最上行に移行するようにしてあり、選択キー１９を押す毎に上述の動作を繰り返すようにしてある。
チケットを発行したい予約番号の行にある「発券」のカーソル４４を点滅させるように選択キー１９を押して、決定キー２０を押す。（ステップＳ４）
本実施の形態では、予約番号の「００１１」を表示したチケットを発券するために、予約番号の「００１１」の「発券」にカーソルを移動させる。
【００２３】
決定キー２０が押されると、チケット情報としての予約番号、タイトル、日付、指定席の席番号が少なくとも印字されたチケットが発行され（印字発行ステップ）、チケット発行口２７に排出される（ステップＳ５）。
発行されたチケットは、図示しないがミシン目により切取られるようにしてある。また、カッター機構(図示せず)をチケット印字部２３とチケット発行口２７との間に設けてチケット連続用紙Ｐを切断るようにしてもよい。
【００２４】
チケットが発行されると、ＲＡＭ３２に記憶されたチケット情報のチケットが発行された予約番号が消去され、チケットが発行されていない予約番号などがＩＣチップ５１に記憶され更新（書換手段）される(ステップＳ６)。
カード５０のＩＣチップ５１のチケット情報が更新されると、カード５０は搬送部５の駆動によりリライト印字部７に向けて搬送される。リライト印字部７に搬送されたカード５０は、サーマルヘッド１８によりリライト面５３に印字されていたチケット情報が書き換え（更新）される（ステップＳ７）。
この時、リライト面５３は、チケットが発行された予約番号に対するチケット情報が消去されるようにしてある。
リライト面５３が更新されると、カード５０はカード挿入口１０に向けて逆搬送するように搬送部５が駆動し、カード５０がカード挿入口１０に到達すると搬送部５が停止するように制御してある。（ステップＳ８）
【００２５】
なお、本発明が上記各実施の形態に限定されず、本発明の技術思想の範囲内において、実施の形態は適宜変更され得ることは明らかである。
また、上記各構成部材の数、位置、形状等は上記実施の形態に限定されず、本発明を実施する上で好適な数、位置、形状等にすることができる。なお、各図において、同一構成要素には同一符号を付している。
チケットデータファイルは、カード処理装置内に記憶した例で説明したが、ホストなどに記憶させることもでき、この場合には外部インターフェースを介してホストと接続するようにしてもよい。
必要に応じて、カード挿入後に暗証番号を入力するようにして、セキュリティーを強化するようにしてもよい。
【図面の簡単な説明】
【００２６】
【図１】本発明のカード処理装置の概略の構成を示した説明図である。
【図２】同上、カード処理装置の制御ブロック図である。
【図３】同上、表示画面の一例を示した説明図である。
【図４】同上、カード処理装置の動作フローチャート図である。
【図５】非接触カードの一部切り欠いた平面図である。
【符号の説明】
【００２７】
１      カード処理装置
２      カード処理部
３      チケット印字発行部（チケット印字発行手段）  
４      制御部
５      搬送部
６      通信部（通信手段）
７      リライト印字部(リライト印字部手段)
８      表示部(表示手段)
９      操作部
１９    選択キー(選択手段)
２０    決定キー
２３    チケット印字部
３０    ＣＰＵ
３１    ＲＯＭ
３２    ＲＡＭ(記憶手段)
３７    通信制御回路
４４    カーソル
５０    非接触カード
５１    ＩＣチップ
５３    リライト面
Ｐ      チケット連続用紙
【図１】
2005078361.tif 000003
【図２】
2005078361.tif 000004
【図３】
2005078361.tif 000005
【図４】
2005078361.tif 000006
【図５】
2005078361.tif 000007